(57)【要約】【課題】投げ釣り用錘の蓋を海中で開くことが容易に出来て、投げ釣りでも浮き釣りでも使用が出来る。蓋を海中で確実に開き餌を放出することが出来る投げ釣り用錘を提供する。【解決手段】餌入れ容器本体１に軸支した蓋２の内側に鉤環５を設け、該本体１の前方に設ける錘３内にスプリング室を設けてスプリング６を入れ、このスプリング室７に通ずるスライド穴にサルカンガイド４の一端を入れ、そのサルカンガイドを後方より餌入れ容器本体の内部に通じるスライド穴に入れ、サルカンガイド４をスライドさせるように設けて、もう一端には鉤１４を設けて前記鉤環５に着脱出来るようにしたことにより、サルカンガイドに通したサルカンに道糸を通してサルカンガイド４をスライドさせて鉤環５に掛けた鉤１４が外れて確実に蓋２を開くことが出来るようにしたことを特徴とする投げ釣り用錘。【選択図】図１
2005027582.tif 000002
【特許請求の範囲】
【請求項１】
蓋の内面に設けた鉤環に掛かる鉤を先端部に有するサルカンガイドを餌入れ容器本体に設けて、このサルカンガイドをスライドさせて鉤環と鉤を確実に外すようにしたことを特徴とする投げ釣り用錘。
【請求項２】
餌入れ容器本体の前方に設ける錘内にスプリング室を設けて、外部よりスプリング室に通ずるサルカンガイドのスライド穴を設け、このスプリング室に餌入れ容器本体に設けたサルカンガイドの一端を入れ、そのサルカンガイドを後方より餌入れ容器本体の容器内に通ずるスライド穴に設け、サルカンガイドをスライドさせるように餌入れ容器本体に設けて、もう一端には鉤を設けて前記蓋の内面に設けた鉤環に着脱出来るようにしたことにより、サルカンガイドに通したサルカンに道糸を通してサルカンガイドを確実にスライドさせて蓋を開くことが出来るようにしたことを特徴とする請求項１に記載の投げ釣り用錘。
【請求項３】
餌入れ容器本体の前方に設ける錘内にスプリング室を設けて、このスプリング室にスプリングを入れ、スライド穴に通して餌入れ容器本体に設けたサルカンガイドの一端を入れ、そのサルカンガイドを後方より餌入れ容器本体の容器内に通ずるスライド穴に入れ、サルカンガイドをスライドさせるように容器本体に設けて、もう一端には鉤を設けて前記鉤環に着脱出来るようにしたことにより、サルカンガイドに通したサルカンに道糸を通してサルカンガイドを確実にスライドさせて蓋を開いた後にスプリングの作用によりサルカンガイドが元の位置に復元することが出来るようにしたことを特徴とする請求項１又は請求項２に記載の投げ釣り用錘。
【発明の詳細な説明】
【技術分野】
【０００１】
本発明に係る投げ釣り用錘は、海中において錘の餌入れ容器の蓋を容易に確実に開くことが出来る投げ釣り用錘に関するものである。
【背景技術】
【０００２】
投げ釣り用錘は、一般に仕掛けを竿に付けて海中へ投げ入れるために使用され、リールに巻かれている道糸の先端に付けたハリスの釣針に餌を着けて先端部に錘が着いている餌入れ容器の中に入れて蓋をし、遠くへ投げ入れた海中で蓋を開き餌を放出するために実用に共されている。
実際の投げ釣に使用されている錘は、先端部に鉛の重りを備えており、餌を付けたハリスを遠投するのに適しているが、海中に入ってからは海面に着水した際の水面の抵抗、或いは海底に着地する際の抵抗、若しくは着地後竿を強く引いて海水の抵抗等により、餌入れ容器の蓋を開くことが必要になる。容器の蓋を開く構造として、着水、着地、竿を引っ張るなどにより反作用として錘に生じる抵抗を利用するものが一般的である。しかしながら、抵抗を利用する方法は確実に蓋を開くには実用上不十分である場合がある。
【０００３】
しかし、投げ釣においては餌が付いたハリスを遠投するので餌が途中落ちることが無いように、錘を付けた容器本体の中に釣針に付けた餌を入れて投げ入れ、海中で餌入れ容器の蓋を確実に開けることが出来るようにする必要がある。従来の錘は、確実に蓋を開けることが出来ない場合があった。投げ釣り用錘は、水面の着水時の抵抗或いは海底へ着地により生じる抵抗、竿を立てることにより水の抵抗を受けることが十分でない場合に蓋を開けることが出来ない欠点があった。
【０００４】
そのような理由により、一般に投げ釣りの回数が多くなると蓋が開かないためにやり直す必要が多くなるなどの問題があった。
【０００５】
この改善策として、蓋をスライドさせることにより蓋と餌入れ容器本体の掛かりを外して蓋を開く方法がある。この場合には、サルカンガイドにより戻しを付けてこれに道糸を通して、竿を立てることによりリールに連結された道糸を引っ張って、蓋と餌入れ容器本体の掛かりを蓋をスライドすることにより外して餌入れ容器の蓋を開く方法である。実用新案登録第２１３１５８８号（実公平７−４８０６７号）は、この方法による蓋と餌入れ容器本体を開く方法である。しかしながらこの方法でも、竿を立ててサルカンガイドを引いて海水の抵抗を利用することが必要になる。このために十分な海水の抵抗が得られる場合は問題ないが、海水の抵抗が少なくて蓋が確実に開かないという問題が生じ、その改善された方法として本発明が提案されるに至ったものである。
【特許文献１】実公平７−４８０６７号公報
【発明の開示】
【発明が解決しようとする課題】
【０００６】
本発明が解決しようとする問題点は、投げ釣り用錘において海水の抵抗が少ない場合に、蓋と餌入れ容器との掛かりが外れないという点である。
【課題を解決するための手段】
【０００７】
本発明は、蓋の内面に設けた鉤環に掛かる鉤を先端部に有するサルカンガイドを餌入れ容器本体に設けて、このサルカンガイドをスライドさせて鉤環と鉤を確実に外すようにしたことを最も主要な特徴とする。餌入れ容器本体に軸支した蓋の内側に鉤環を設け、餌入れ容器本体の前方に設ける錘内にスプリング室を設けてスプリングを入れ、このスプリング室に餌入れ容器本体に設けたサルカンガイドの一端を入れ、そのサルカンガイドを後方より餌入れ容器本体に設けたスライド穴に入れ、サルカンガイドをスライドさせるように餌入れ容器本体に設けて、もう一端には鉤を設けて前記鉤環に着脱出来るようにしたことにより、サルカンガイドに通したサルカンに道糸を通してサルカンガイドを確実にスライドさせて蓋を開くことが出来るようにしたことを特徴とする投げ釣り用錘である。
【発明の効果】
【０００８】
本発明の投げ釣り用錘は、餌入れ容器本体にサルカンガイドをスライドさせるように設けて、蓋の内側に設けた鉤環に掛ける鉤をサルカンガイドにの一端に設けて、サルカンガイドに付けたサルカンに通した道糸を引くことによりサルカンガイドをスライドさせるようにする為、蓋の内側の鉤環に掛かるサルカンガイドの鉤を確実に外すことが出来るという利点がある。
【発明を実施するための最良の形態】
【０００９】
本発明の技術的思想は、実施例において次のように具体化されて効果を奏している。
投げ釣り用錘において蓋と餌入れ容器本体に設けたサルカンガイドとの掛かりが確実に外れるようにするという目的を、蓋をスライドさせずにサルカンガイドをスライドさせることにより実現した。道糸の先端にはサルカンを介してハリスが連結されており、又その道糸を通したもう一つのサルカンを介してサルカンガイドに連結されているために、道糸を引っ張ることによりサルカンガイドがスライドして、蓋の内側に設けた鉤環に掛けた鉤の掛かりが確実に外されてハリスの先端の餌を海水中に放出することが出来る。
【実施例１】
【００１０】
図１は、本発明に係る投げ釣り用錘の１実施例を示す断面図であって、図２にこの投げ釣り用錘に用いられるサルカンガイドの正面図を示す。図３は、サルカンガイドをスライドさせるように装着した投げ釣り用錘の断面図、図４は、投げ釣り用錘の前方部分に設けたスプリング室に装着したサルカンガイドを示す拡大断面図、図５は、投げ釣り用錘の後方部分を示し、サルカンガイドをスライドさせて蓋の内側の鈎環に着脱する鉤を一端に設けたサルカンガイドを示す拡大断面図、図６は、投げ釣り用錘の正面図、図７は、仕掛けを取り付けた投げ釣り用錘の断面図をそれぞれ示しているものである。
【００１１】
図面に基づいて本発明の実施例について詳細に説明する。投げ釣り用錘において海水の抵抗が少なくて蓋と餌入れ容器との掛かりが外れないという点が次に記載の実施例により解決されている。
【００１２】
餌入れ容器本体１の前方に錘３を設ける。前方に設ける錘３内にスプリング室７を設けてスプリング６を入れ、このスプリング室７に通ずるスライド穴１５を設けて、スプリング室にサルカンガイド４の一方を入れ、餌入れ容器本体の後方に餌入れ容器内に通じるスライド穴１６を設けて、そのサルカンガイド４の他方を後方より餌入れ容器本体の内部に通じるスライド穴１６に入れ、サルカンガイド４をスライドさせるように本体に取り付ける。餌入れ容器本体１に設けた軸８により軸支した蓋２の内側に鉤環５を設け、サルカンガイド４のもう一端には鉤１４を設けて、これを前記鉤環５に着脱出来るようにした。このようにしたことにより、サルカンガイド４に通したサルカン１１に道糸を通して、道糸１２を引っ張るとサルカンガイド４を後方へスライドさせて、鉤環５に入れた鉤１４が外れるようにして確実に蓋２を開くことが出来るようにした。この結果として、餌入れ容器本体１内のハリス１０の釣針９に付けた餌が開口部１３より海中へ放出されるので無駄がない効率的な釣果を期待出来る。
【産業上の利用可能性】
【００１３】
本発明に係る投げ釣り用錘において、海水の抵抗が少なくて蓋と餌入れ容器との掛かりが外れないという点が解決されていて、本発明の効果は、竿に仕掛けを付けて餌を遠投する投げ釣りだけでなく、竿釣で竿を立てて道糸を引っ張ると蓋が開く構造にしたために、海底の近辺の魚を釣る目的の投げ釣りのみならず、中間の魚を釣る目的の浮き釣りの用途にも適用できる。
【図面の簡単な説明】
【００１４】
【図１】本発明に係る投げ釣り用錘の１実施例を示す断面図
【図２】この投げ釣り用錘に用いられるサルカンガイドの正面図
【図３】サルカンガイドをスライドさせるように装着した投げ釣り用錘の断面図
【図４】投げ釣り用錘の前方部分に設けたスプリング室に装着したサルカンガイドを示す拡大断面図
【図５】投げ釣り用錘の後方部分を示し、サルカンガイドをスライドさせて蓋の内側の鈎環に着脱する鉤を一端に設けたサルカンガイドを示す拡大断面図
【図６】投げ釣り用錘の正面図
【図７】仕掛けを取り付けた投げ釣り用錘の断面図
【符号の説明】
【００１５】
１    餌入れ容器本体
２    蓋
３    錘（重り）
４    サルカンガイド
５    鉤環
６    スプリング
７    スプリング室
８    軸
９    釣針
１０    ハリス
１１    サルカン
１２    道糸
１３    容器の開口部
１４    鉤
１５、１６    スライド穴
【図１】
2005027582.tif 000003
【図２】
2005027582.tif 000004
【図３】
2005027582.tif 000005
【図４】
2005027582.tif 000006
【図５】
2005027582.tif 000007
【図６】
2005027582.tif 000008
【図７】
2005027582.tif 000009